(57)【特許請求の範囲】
【請求項１】
エレベーターのかごに設けられた照明器具を制御するエレベーターの制御装置であって、
前記照明器具の種類として、蛍光ランプ及びＬＥＤランプを記憶可能な記憶手段と、
前記記憶手段に記憶されている内容を読み取り、前記かごに装備されている前記照明器具の種類を特定し、その特定した前記照明器具の種類に基づいて、前記かごを自動的に休止させるための移行時間を設定する設定手段と、
前記かごが所定の待機状態であることを検出する検出手段と、
前記かごの待機状態が、前記設定手段によって設定された移行時間継続した場合に、前記かご内の照明を消灯させる照明制御手段と、
を備え、
前記設定手段は、前記照明器具が蛍光ランプで構成されている旨を特定した場合は所定の第１時間を移行時間として設定し、前記照明器具がＬＥＤランプで構成されている旨を特定した場合は、前記第１時間よりも短い所定の第２時間を移行時間として設定することを特徴とするエレベーターの制御装置。
【発明の詳細な説明】
【技術分野】
【０００１】
この発明は、エレベーターのかごに設けられた照明器具を制御するエレベーターの制御装置に関するものである。
【背景技術】
【０００２】
エレベーターでは、かごが全ての呼びに応答し終わり、新たな呼びが発生しない状態が所定時間以上経過すると、消費電力を削減するため、かご内の照明を自動的に消灯して、かごを休止させている。なお、かごの照明器具として蛍光ランプが採用されている場合、点灯及び消灯を頻繁に繰り返すと蛍光ランプの劣化が急速に進行し、その寿命が極端に短くなってしまう。このため、従来では、かごが全ての呼びに応答し終わった直後ではなく、その後、新たな呼びが発生しない状態が所定時間継続した場合に、照明を消してかごを休止させていた。【０００３】
また、最近では、省エネルギーに対する関心の高まりもあり、エレベーターの照明器具として、より省エネルギー効果の高いインバータ式蛍光ランプやＬＥＤランプが採用されることが多くなってきている。特に、ＬＥＤランプは、省エネルギー効果が非常に高く、蛍光ランプと比較するとイニシャルコストがやや高いものの、消費電力等を含めたライフサイクルコストで比較すると、蛍光ランプよりも安価になる場合がある。【０００４】
このような事情に鑑み、エレベーターのかごに設けられた照明器具、及び、その照明器具を制御する制御装置に関し、従来から幾つかの技術が提案されている。
例えば、下記特許文献１には、呼びのない状態が所定時間以上経過するとかごを自動的に休止させるものにおいて、一定期間内の休止回数が所定値を超えると、その後の自動休止を阻止し、かご内の照明を点灯させておくものが提案されている。【０００５】
また、他の従来技術として、かご内の照明器具としてＬＥＤランプを採用することにより、かごの天井部の厚みを低減させるものも提案されている（例えば、特許文献１及び２参照）。
【先行技術文献】
【特許文献】
【０００６】
【特許文献１】日本特公昭６０−５２９９１号公報
【特許文献２】日本特開２００７−２２７２０号公報
【特許文献３】日本特開２００７−１８２２９６号公報
【発明の概要】
【発明が解決しようとする課題】
【０００７】
ＬＥＤランプは蛍光ランプと異なり、点灯及び消灯の繰り返しによる劣化が殆どなく、上記繰り返しによって寿命が短くなる恐れがない。このため、かごの照明器具としてＬＥＤランプが採用されている場合は、エレベーターの状態に応じてこまめに点灯及び消灯を繰り返すことにより、更なる消費電力の削減が期待できる。
しかし、上記特許文献１乃至３に記載のものを含め、従来のエレベーターでは、照明器具の種類や特性に応じてその制御を変えることは何ら行われていなかった。【０００８】
この発明は、上述のような課題を解決するためになされたもので、その目的は、エレベーターのかごに設置される種々の照明器具に対し、省エネルギーやその寿命を考慮した適切な制御を行うことができるエレベーターの制御装置を提供することである。
【課題を解決するための手段】
【０００９】
この発明に係るエレベーターの制御装置は、エレベーターのかごに設けられた照明器具を制御するエレベーターの制御装置であって、照明器具の種類として、蛍光ランプ及びＬＥＤランプを記憶可能な記憶手段と、記憶手段に記憶されている内容を読み取り、かごに装備されている照明器具の種類を特定し、その特定した照明器具の種類に基づいて、かごを自動的に休止させるための移行時間を設定する設定手段と、かごが所定の待機状態であることを検出する検出手段と、かごの待機状態が、設定手段によって設定された移行時間継続した場合に、かご内の照明を消灯させる照明制御手段と、を備え、設定手段は、照明器具が蛍光ランプで構成されている旨を特定した場合は所定の第１時間を移行時間として設定し、照明器具がＬＥＤランプで構成されている旨を特定した場合は、第１時間よりも短い所定の第２時間を移行時間として設定するものである。
【発明の効果】
【００１０】
この発明によれば、エレベーターのかごに設置される種々の照明器具に対し、省エネルギーやその寿命を考慮した適切な制御を行うことができるようになる。
【図面の簡単な説明】
【００１１】
【図１】この発明の実施の形態１におけるエレベーターの制御装置を示す構成図である。
【図２】移行時間と消費電力の削減効果との関係を示す図である。
【図３】この発明の実施の形態１におけるエレベーターの制御装置の動作を示すフローチャートである。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベーターの制御装置を示す構成図である。
図１において、１はエレベーター昇降路内を昇降路するかご、２はかご１の制御等、エレベーター全体の運行制御を司る制御装置である。
【００１４】
かご１には、その天井部やかご上等に、照明器具３、かご上ステーション４が設置されている。
照明器具３は、かご１の室内を照らすためのものであり、蛍光ランプやＬＥＤランプにより、その要部が構成されている。
【００１５】
かご上ステーション４は、制御装置２との間で通信を行う機能、かご１の機器類に対して電源供給を行う機能を有している。このかご上ステーション４は、照明器具３に対する電源供給も行っており、制御装置２からの指令に基づいて電源の供給或いは遮断を行い、照明器具３を点灯及び消灯させている。
【００１６】
一方、制御装置２は、運行制御手段５、空かご検出手段６、タイマ（計時手段）７、メモリ（記憶手段）８、自動休止移行手段９により、その要部が構成されている。
運行制御手段５は、エレベーターの運行管理機能を司る。具体的に、運行制御手段５は、エレベーターの乗場から登録された乗場呼び、及び、かご１内から登録されたかご呼びに対する応答制御を行う。また、運行制御手段５は、かご１が全ての呼びに応答し終わると、新たな呼びが発生するまでの間、応答が終了した階床或いは所定の階床において、かご１を戸閉停止させておく。
【００１７】
空かご検出手段６は、かご１が全ての呼びに応答し終わり、新たな呼びが発生するのを待っている状態（以下、「待機状態」という）であることを検出する機能を有している。例えば、空かご検出手段６は、かご１が全ての呼びに応答し終わり、運行制御手段５の上記機能によってかご１が所定の階床等で戸閉停止すると、かご１の待機状態を検出する。
【００１８】
タイマ７は、かご１の待機状態が継続している時間を計測するためのものである。即ち、空かご検出手段６によってかご１が所定の待機状態であることが検出されると、タイマ７は、時間の計測を開始する。また、タイマ７は、時間の計測を開始した後、空かご検出手段６によってかご１が待機状態であることが検出されなくなると、時間の計測を終了する。
【００１９】
メモリ８は、かご１に設置された照明器具３の種類を記憶させておくためのものである。このメモリ８には、照明器具３の種類（例えば、照明器具３の構成が蛍光ランプであるか、或いは、ＬＥＤランプであるか）を識別するための所定のパラメータが記憶されている。なお、エレベーターの出荷時、メモリ８には、かご１に設置された照明器具３の種類に応じた適切なパラメータが予め記憶されている。また、出荷後に照明器具３の種類が変更されることもあり得るため、メモリ８に記憶される上記パラメータは、エレベーターの稼動後であっても、専門の技術者等によって変更できるように構成されている。
【００２０】
自動休止移行手段９は、待機状態のかご１を自動的に休止させる機能を有している。即ち、自動休止移行手段９は、かご１が待機状態に移行した後、所定の条件が成立すると、照明器具３の消灯を行ってかご１を休止させる。なお、自動休止移行手段９による自動休止は、照明器具３の種類（特性）を考慮した条件に基づいて行われる。このような機能を実現するため、自動休止移行手段９には、移行時間設定手段１０、照明制御手段１１が備えられている。
【００２１】
移行時間設定手段１０は、メモリ８に記憶されている照明器具３の種類に基づき、その種類に応じた適切な移行時間を設定する機能を有している。
具体的に、移行時間設定手段１０は、メモリ８に記憶されているパラメータに基づき、照明器具３の種類（例えば、照明器具３が蛍光ランプで構成されているか、或いは、ＬＥＤランプで構成されているか）を特定する。そして、移行時間設定手段１０は、かご１に設置されている照明器具３の種類をメモリ８の記憶内容から特定すると、その特定した内容に基づき、かご１を自動的に休止させるための上記移行時間を設定する。
【００２２】
照明制御手段１１は、照明器具３の点灯及び消灯制御を行う機能を有している。
具体的に、照明制御手段１１は、かご１が呼びに応答している間は、かご上ステーション４に対して点灯指令を出力し、照明器具３を点灯させる。また、照明制御手段１１は、かご１の待機状態が上記移行時間継続すると、無駄な電力の消費を抑えるため、かご１内の照明を消灯させてかご１を自動休止させる。即ち、照明制御手段１１は、空かご検出手段６によってかご１の待機状態が検出され、その待機状態が、移行時間設定手段１０によって設定された移行時間継続すると、かご１内の照明を消灯させるための消灯指令をかご上ステーション４に対して出力する。
【００２３】
以下に、図２を参照し、上記移行時間と消費電力の削減効果との関係について説明する。図２は移行時間と消費電力の削減効果との関係を示す図である。
図２において、縦軸は照明器具３をＬＥＤランプで構成した場合の消費電力削減率を、横軸は２週間当たりのエレベーターの起動頻度を示している。なお、縦軸の消費電力削減率は、照明器具３をＬＥＤランプで構成した場合に、その消費電力量が、照明器具３を蛍光ランプで構成した場合よりもどれだけ削減されるか、即ち、その削減された割合を表している。また、図中の三角印は上記移行時間を従来と同様に１８０秒に設定した場合を、四角印は上記移行時間を３０秒に設定した場合を示している。
【００２４】
一般的な集合住宅に設置されたエレベーターでは、２週間当たりの起動頻度は、２８００回程度である。かかる場合、照明器具３をＬＥＤランプで構成していても、その移行時間を１８０秒に設定すると、消費電力の削減効果は約３％しか生じない。一方、照明器具３をＬＥＤランプで構成し、更に移行時間を３０秒に設定すると、２０％程度の消費電力の削減効果が期待できる。
【００２５】
ＬＥＤランプは、上述の通り、点灯及び消灯の繰り返しによる劣化が殆どなく、上記繰り返しによって寿命が短くなる恐れがない。このため、例えば、照明器具３がＬＥＤランプで構成されている旨がメモリ８に記憶されている場合は、照明の点灯時間を短縮することの累積効果を期待して、上記移行時間を従来よりも短い３０秒に設定する。
【００２６】
一方、蛍光ランプは、上述の通り、点灯及び消灯を頻繁に繰り返すと蛍光ランプの劣化が進行し、その寿命が短くなってしまう。このため、例えば、照明器具３が蛍光ランプで構成されている旨がメモリ８に記憶されている場合は、消費電力の削減効果よりも照明器具３の寿命を最優先して、上記移行時間をＬＥＤランプの場合よりも長い１８０秒に設定する。
【００２７】
次に、図３も参照し、制御装置２が上記具体的構成を有する場合の動作について説明する。図３はこの発明の実施の形態１におけるエレベーターの制御装置の動作を示すフローチャートである。
【００２８】
制御装置２では、最初に、自動休止移行手段９によって、かご１に装備されている照明器具３の種類の特定を行う。具体的に、自動休止移行手段９は、メモリ８に記憶されたパラメータの値を読み取るとともに、移行時間設定手段１０により、照明器具３がＬＥＤランプで構成されているか否かの判定を行う（Ｓ１０１）。Ｓ１０１において照明器具３がＬＥＤランプである旨が判定されると、移行時間設定手段１０は、かご１を自動休止させる際の移行時間を３０秒に設定する（Ｓ１０２）。また、移行時間設定手段１０は、Ｓ１０１において照明器具３がＬＥＤランプではない旨が判定されると、照明器具３が蛍光ランプで構成されていることを判断し、上記移行時間を１８０秒に設定する（Ｓ１０３）。
【００２９】
照明器具３の種類に応じた移行時間の設定が終了すると、自動休止移行手段９は、次に、かご１を自動休止させる条件が成立したか否かを判定する。なお、制御装置２では、かご１が戸閉し且つ他階に呼びがない場合（Ｓ１０４のＹｅｓ）、空かご検出手段６によってかご１の待機状態が検出され、タイマ７による時間のカウントが開始される（Ｓ１０５）。そこで、移行時間設定手段１０は、タイマ７によって時間のカウントが開始されると、そのカウントされた時間とＳ１０２又はＳ１０３において設定された移行時間との比較を行い、かご１の待機状態が移行時間継続したか否かを判定する（Ｓ１０６）。なお、タイマ７によってカウントされた時間が上記移行時間を経過する前に乗場呼び等が発生し、空かご検出手段６によってかご１の待機状態が検出されなくなると（Ｓ１０４のＮｏ）、タイマ７がリセットされ、動作は終了する。
【００３０】
一方、タイマ７によってカウントされた時間が上記移行時間を経過すると（Ｓ１０６のＹｅｓ）、自動休止移行手段９は、無駄な電力の消費を防止するため、かご１を自動休止させる。即ち、照明制御手段１１は、かご上ステーション４に対して消灯指令を送信し、かご１内の照明を消灯させる（Ｓ１０７）。
なお、Ｓ１０７においては、かご１内の消灯とともに、換気装置、空気清浄機、かご内表示器、かご内防犯カメラ等の電源遮断を適宜実施しても良い。
【００３１】
この発明の実施の形態１によれば、エレベーターのかご１に設置される種々の照明器具３に対し、省エネルギーやその寿命を考慮した適切な消灯制御を行うことができるようになる。また、エレベーターの稼動後に照明器具３をより省エネルギー効果の高いものに変更した場合であっても、変更後の照明器具３の種類に応じて適切な移行時間を設定することが可能となる。このため、例えば、照明器具３のランプを蛍光ランプからＬＥＤランプに変更した場合は、照明器具３の種類を変えたことによる電力消費量の削減に加え、点灯時間を短縮することによる電力消費量の削減も実現できるようになる。
【００３２】
なお、本実施の形態においては、照明器具３が蛍光ランプ及びＬＥＤランプで構成されている場合について具体的な説明を行ったが、照明器具３の種類はこれらに限定されるものではない。例えば、有機ＥＬランプ等を照明器具３に採用して、省エネルギー化を図っても良い。
また、メモリ８に記憶できる照明器具３を３種類以上としても良い。かかる場合、移行時間設定手段１０は、例えば、メモリ８に記憶可能な照明器具３の種類毎に、異なる長さの移行時間を設定し、最適な消灯制御を実現する。
【産業上の利用可能性】
【００３３】
この発明に係るエレベーターの制御装置は、エレベーターの種類等に関わらず、かごに設けられた照明器具を制御するもの全てに対して適用することができる。
【符号の説明】
【００３４】
１  かご
２  制御装置
３  照明器具
４  かご上ステーション
５  運行制御手段
６  空かご検出手段
７  タイマ
８  メモリ
９  自動休止移行手段
１０  移行時間設定手段
１１  照明制御手段
【図１】
0005505426.tif 000002
【図２】
0005505426.tif 000003
【図３】
0005505426.tif 000004